【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
シート材押え部材によって穿孔対象であるシート材の表面の少なくとも一部を、ダイ孔が形成されているダイプレート上で押え、その押えた状態で上記シート材の表面に直交する穿孔方向に穿孔部材を上記ダイ孔に貫通させることで、上記シート材にパンチ孔を開ける穿孔装置において、
上記穿孔部材をパンチ孔から引き抜くことで上記穿孔部材に係止された状態で連れ動く上記シート材の動きを規制する規制部材を備え、
パンチ孔を開けた後に、上記穿孔部材をパンチ孔から引き抜くと略同時に又は上記穿孔部材のパンチ孔からの引き抜くより前に、上記シート材押え部材をシート材の表面から離し、上記穿孔部材に係止された状態で連れ動いて上記穿孔部材から離れる前に、上記規制部材によって上記シート材の一部に接触して上記シート材の動きを規制することを特徴とする穿孔装置。
【請求項２】
請求項１に記載の穿孔装置において、
上記規制部材は、上記穿孔部材の穿孔方向に延伸する先端部の近傍に設けられていることを特徴とする穿孔装置。
【請求項３】
請求項１又は２に記載の穿孔装置において、
上記規制部材と上記シート材押え部材とが互いに一体化して形成されていることを特徴とする穿孔装置。
【請求項４】
請求項１〜３のいずれか１項に記載の穿孔装置において、
上記穿孔部材は、上記シート材押え部材の回動に連動して回転する回転機構を備え、該回転機構は、上記シート材押え部材に設けられた螺旋状のガイド溝と、上記穿孔部材に設けられ上記ガイド溝に沿って移動する案内部材とを有していることを特徴とする穿孔装置。
【請求項５】
請求項１〜４のいずれか１項に記載の穿孔装置において、
穿孔時に発生する音を遮断する遮音手段を備えていることを特徴とする穿孔装置。
【請求項６】
用紙に穿孔処理を施す穿孔手段を有する用紙処理装置において、
上記穿孔手段として、請求項１〜５のいずれか１項に記載の穿孔装置を用いることを特徴とする用紙処理装置。
【請求項７】
記録紙に画像を形成する画像形成手段と、該画像形成手段により画像が形成された記録紙に所定の処理を施す記録紙処理手段とを備えた画像形成装置において、
上記記録紙処理手段として、請求項６の用紙処理装置を用いることを特徴とする画像形成装置。
【手続補正２】
【補正対象書類名】明細書
【補正対象項目名】００１５
【補正方法】変更
【補正の内容】
【００１５】
感光ドラム１０２は、画像形成装置の制御部（不図示）から画像形成動作の開始指示信号を受けると、図中時計回りの方向に回転を始め、画像形成動作が終了するまで回転を続ける。感光ドラム１０２が回転を開始すると、ドラム帯電器１０３に高電圧が印加され、感光ドラム１０２の表面に負の電荷が均一に帯電される。原稿読込部１０８によって原稿１１１の画像情報を光学的に読み込み、読み込んだ画像情報をドットイメージに変換された文字データや図形データが、露光部１０４のオン／オフ信号として画像形成装置の制御部（不図示）から画像形成装置１００に送られる。すると、感光ドラム１０２の表面に、露光部１０４よりレーザ光が照射される部分と照射されない部分が形成される。露光部１０４からのレーザ光の照射により、感光ドラム１０２上の電荷の低下した部分が、現像部１０５と対向する位置に到達すると、感光ドラム１０２上の電荷の低下した部分に、負電荷に帯電したトナーが引き付けられ、トナー像が形成される。
【手続補正３】
【補正対象書類名】明細書
【補正対象項目名】００２５
【補正方法】変更
【補正の内容】
【００２５】
（実施例２）
次に、上記実施形態における穿孔装置の他の実施例（以下、本実施例を「実施例２」という。）について説明する。図５は実施例２の穿孔装置４００の構成を説明する模式図である。図６及び図７は実施例２の穿孔装置４００における穿孔動作を説明する模式図である。図６（ａ）は穿孔動作時の用紙Ｐの横ずれ防止用の用紙押え部材４０２の第２突起部４０２ｃによって用紙Ｐをダイプレート上で押えている状態を説明する模式図であり、図６（ｂ）は用紙Ｐにパンチ孔を開けたときの穿孔動作を説明する模式図であり、図６（ｃ）は穿孔後に穿孔ピンを引き抜く様子を説明する模式図である。図７（ａ）は用紙押え部材を用紙Ｐから離した状態を説明する模式図であり、図７（ｂ）は穿孔ピンを図７（ａ）の位置よりさらに引き抜くときの穿孔動作を説明する模式図であり、図７（ｃ）は穿孔ピンを図７（ｂ）の位置よりさらに引き抜くときの穿孔動作を説明する模式図である。
【手続補正４】
【補正対象書類名】明細書
【補正対象項目名】００２６
【補正方法】変更
【補正の内容】
【００２６】
図５に示すように、実施例２の穿孔装置４００は、穿孔ピン４０１と用紙押え部材４０２の第２突起部４０２ｃとが連動して動く構成を備えている。用紙押え部材４０２には、穿孔ピン４０１が穿孔方向に対し往復動する貫通孔４０２ａが形成されている。用紙押え部材４０２の穿孔方向の端部には、穿孔方向に突起した規制部材としての第１突起部４０２ｂと、用紙Ｐの横ずれ防止用の第２突起部４０２ｃとが形成されている。穿孔ピン４０１の第１係止部４０１ａ及び第２係止部４０１ｂと、各係止部の一端面に対向する用紙押え部材４０２の内壁端面との間には、バネ４０３がそれぞれ配置されている。そのバネ４０３により、第１係止部４０１ａ及び第２係止部４０１ｂは、各係止部の他端面に対向する用紙押え部材４０２の内壁端面に押圧させる構成になっている。この構成により、穿孔する用紙Ｐの枚数や厚みが変化したとしても、用紙押え部材４０２による用紙Ｐへの押え圧を適切に与えることが可能となる。また、穿孔ピン４０１や用紙押え部材４０２は、図示していない駆動モータやカム部材等の駆動機構によって用紙Ｐの穿孔方向に往復運動する構成を備えている。
【手続補正５】
【補正対象書類名】明細書
【補正対象項目名】００３６
【補正方法】変更
【補正の内容】
【００３６】
（実施例４）
次に、上記実施形態における穿孔装置のさらに他の実施例（以下、本実施例を「実施例４」という。）について説明する。図１４は実施例４の穿孔装置６００の構成を説明する模式図である。図１４（ａ）は穿孔方向の断面図であり、図１４（ｂ）は穿孔方向に対し直交する方向からみた断面図であり、図１４（ｃ）は穿孔ピン６０１、規制部材６０２及び用紙押え部材６０３の底面図である。図１５及び図１６は実施例４の穿孔装置６００における穿孔動作を説明する模式図である。図１５（ａ）は用紙押え部材６０３で用紙Ｐをダイプレート６０４上で押える前の様子を説明する模式図であり、図１５（ｂ）は用紙押え部材６０３で用紙Ｐをダイプレート６０４上で押えたときの様子を説明する模式図であり、図１５（ｃ）は穿孔した直後の穿孔動作を説明する模式図である。図１６（ａ）は穿孔後に用紙押え部材６０３を用紙Ｐから離したときの様子を説明する模式図であり、図１６（ｂ）は穿孔ピン６０１を引き抜くときの用紙Ｐの連れ動きの様子を説明する模式図であり、図１６（ｃ）は穿孔ピン６０１を図１６（ｂ）の位置よりさらに引き抜いたとき用紙Ｐが穿孔ピンの外周面から離れる様子を説明する模式図である。
【手続補正６】
【補正対象書類名】明細書
【補正対象項目名】００３７
【補正方法】変更
【補正の内容】
【００３７】
図１４に示すように、実施例４の穿孔装置６００には、穿孔ピン６０１の外周の全周面を囲むように、穿孔方向に沿って移動する円筒状の規制部材６０２が設けられている。その規制部材６０２の穿孔方向の端部には、穿孔方向に突起した突起部６０２ａが形成されている。また、規制部材６０２の外周の全周面を囲む用紙Ｐの横ずれ防止用の円筒状の用紙押え部材６０３が設けられている。なお、穿孔ピン６０１、規制部材６０２及び用紙押え部材６０３は、互いの移動に連動又は独立に移動してもよい。
【手続補正７】
【補正対象書類名】明細書
【補正対象項目名】００３８
【補正方法】変更
【補正の内容】
【００３８】
次に、このような構成を有する実施例４の穿孔装置６００による穿孔動作について図１５及び図１６を用いて説明する。
実施例４の穿孔装置６００では、図１５（ａ）に示すように、用紙Ｐは、搬送ローラ対２０１、２０２に挟持され、ダイプレート６０４上を摺動するように搬送される。そして、用紙Ｐは、穿孔ピン６０１の先端部とダイ孔６０５とが穿孔方向で互いに略一致する位置に停止する。穿孔動作前に、図１５（ｂ）に示すように、穿孔方向（図１５（ａ）中の矢印Ａ方向）に用紙押え部材６０３を移動させ、用紙押え部材６０３によって用紙Ｐをダイプレート６０４上で押える。これにより、用紙Ｐの横ずれを防止する。図１５（ｃ）に示すように、穿孔ピン６０１を図１５（ｂ）中の矢印Ｂ方向に移動させてダイプレート６０４のダイ孔６０５との協働によって用紙Ｐにパンチ孔を形成する。このとき規制部材６０２が穿孔ピン６０１とともに用紙Ｐの表面に向かって用紙Ｐの表面より上方の所定位置まで移動する。
【手続補正８】
【補正対象書類名】明細書
【補正対象項目名】００３９
【補正方法】変更
【補正の内容】
【００３９】
用紙押え部材６０３を穿孔方向に対し反対の方向（図１５（ｃ）中の矢印Ｃの方向）に移動させ、用紙押え部材６０３を用紙Ｐの表面から離す。そして、図１６（ａ）に示すように、穿孔ピン６０１を穿孔方向に対し反対方向（図１６（ａ）中の矢印Ａの方向）に移動させて用紙Ｐのパンチ孔から引き抜く。このとき、図１６（ｂ）に示すように、用紙Ｐのパンチ孔の開口端面が穿孔ピン６０１と一緒に連れ動いて持ち上がる。穿孔ピン６０１の移動動作に連動もしくは独立してパンチ孔の外周近傍における用紙Ｐの一部に、規制部材６０２の突起部６０２ｂを接触させる。図１６（ｃ）に示すように、規制部材６０２の突起部６０２ａが接触する箇所の用紙Ｐは、穿孔ピン６０１の外周面から離れる。その後、図示していないが、規制部材６０２の突起部６０２ａが接触する箇所以外の箇所の用紙Ｐも穿孔ピン６０１の外周面から離れる。
【手続補正９】
【補正対象書類名】明細書
【補正対象項目名】００４６
【補正方法】変更
【補正の内容】
【００４６】
（変形例）
次に、上記実施形態における穿孔装置の一変形例について説明する。図２０及び図２１は変形例の穿孔装置８００の穿孔動作を説明する模式図である。図２０（ａ）〜（ｃ）及び図２１（ａ）〜（ｃ）は変形例の穿孔後の穿孔ピンを引き抜く動作を説明する模式図である。図２２（ａ）〜（ｃ）は図２１（ａ）〜（ｃ）の各動作時における穿孔ピンの刃先の動きを説明する模式図である。図２３は、変形例の穿孔装置において穿孔ピンと用紙押え部材との間隙に遮音手段としての遮音部材を設けた例を下方からみた底面図である。
【手続補正１０】
【補正対象書類名】明細書
【補正対象項目名】００４９
【補正方法】変更
【補正の内容】
【００４９】
図２１（ａ）及び図２１（ｂ）に示すように、用紙Ｐのパンチ孔の開口端面が穿孔ピン８０１と一緒に連れ動いて持ち上がる。回転駆動部８０２がさらに回転すると、穿孔ピン８０１が図２１（ａ）中の矢印Ｇの方向にさらに軸回転しながら移動することで、連れ動く用紙Ｐが規制部材としての突起部８０２ｂの端部に接触する。図２１（ｂ）に示すように、突起部８０２ｂの端部が接触する箇所の用紙Ｐは、穿孔ピン８０１の外周面から離れる。その後、突起部８０２ｂが接触する箇所以外の箇所の用紙Ｐが穿孔ピン８０１の外周面から離れる。このように、穿孔ピン８０１を引き抜くときに、用紙Ｐが段階的に穿孔ピン８０１の外周面から離れる。これにより、用紙Ｐが離れるときに発生する弾き音を分散でき、弾き音のピーク音量を小さくすることができる。なお、図２３に示すように、穿孔ピン８０１の外周面と回転駆動部８０２の内周面との隙間に、遮音材や吸音材等の遮音部材８０６を設けることで、穿孔処理時用紙Ｐを打ち抜く音や用紙Ｐの弾き音等の騒音を遮断することができる。回転駆動部８０２の外周を遮音部材８０６で囲むことによっても同様な効果が得られる。遮音部材８０６の材料には、グラスウール系、ウレタン系などが用いられている。
【手続補正１１】
【補正対象書類名】明細書
【補正対象項目名】００５２
【補正方法】変更
【補正の内容】
【００５２】
（態様Ｃ）
（態様Ａ）又は（態様Ｂ）において、規制部材６０２と用紙押え部材６０３とが互いに一体化して形成されている。これによれば、上記実施形態の実施例４及び実施例５について説明したように、押圧部材と用紙押え部材の各機能を同一部材に持たせるため、省スペース化が図れる。
【手続補正１２】
【補正対象書類名】明細書
【補正対象項目名】００５３
【補正方法】変更
【補正の内容】
【００５３】
（態様Ｄ）
（態様Ａ）〜（態様Ｄ）のいずれかにおいて、穿孔ピン８０１は、用紙押え部材の回動に連動して回転する回転駆動部８０２等の回転機構を備え、該回転機構は、用紙押え部材に設けられた螺旋状のガイド溝と、穿孔ピン８０１に設けられガイド溝に沿って移動するボス８０１ａ等の案内部材とを有している。これによれば、上記実施形態の変形例について説明したように、用紙押え部材の回動に連動して穿孔ピン８０１を回転させて穿孔に加わる負荷を低減させることができる。これにより、省エネルギーになるとともに、刃先を回転穿孔させるので切れ味がよくなり穿孔品質を向上させることができる。
【手続補正１３】
【補正対象書類名】明細書
【補正対象項目名】００５４
【補正方法】変更
【補正の内容】
【００５４】
（態様Ｅ）
（態様Ａ）〜（態様Ｄ）のいずれかにおいて、穿孔時に発生する音を遮断する遮音部材８０６を備えている。これによれば、上記実施形態の変形例について説明したように、穿孔時に発生する音を遮断することができる。
【手続補正１４】
【補正対象書類名】明細書
【補正対象項目名】００５７
【補正方法】変更
【補正の内容】
【００５７】
１  画像形成システム
１００  画像形成装置
２００  用紙処理装置
２０１、２０２  搬送ローラ対
３００  穿孔装置
３０１  穿孔ピン
３０２  ダイ孔
３０３  ダイプレート
３０４  規制部材
３０５  用紙押え部材
４００  穿孔装置
４０１  穿孔ピン
４０１ａ  第１係止部
４０１ｂ  第２係止部
４０２  用紙押え部材
４０２ａ  貫通孔
４０２ｂ  第１突起部
４０２ｃ  第２突起部
４０３  バネ
４０４  ダイ孔
４０５  ダイプレート
４０６  衝撃吸収材
５００  穿孔装置
５０１  穿孔ピン
５０１ａ  第１刃先
５０１ｂ  第２刃先
５０２  規制部材
５０３  ダイプレート
５０４  ダイ孔
５５０  穿孔装置
５５１  穿孔ピン
５５２  ダイ孔
５５３  ダイプレート
５５４  規制部材
５５５  用紙押え部材
６００  穿孔装置
６０１  穿孔ピン
６０１ａ  第１刃先
６０１ｂ  第２刃先
６０２  規制部材
６０２ａ  突起部
６０３  用紙押え部材
６０４  ダイプレート
６０５  ダイ孔
７００  穿孔装置
７０１  穿孔ピン
７０２  用紙押え部材
７０２ａ  切欠き溝
７０３  規制部材
７０４  ダイプレート
７０５  ダイ孔
８００  穿孔装置
８０１  穿孔ピン
８０１ａ  ボス
８０２  回転駆動部
８０２ａ  カム孔
８０２ｂ  突起部
８０３  ダイプレート
８０４  ダイ孔
８０５  用紙押え部材
８０６  遮音部材
【手続補正１５】
【補正対象書類名】図面
【補正対象項目名】図１
【補正方法】変更
【補正の内容】
【図１】
2015223642.tif 000001